(57)【要約】【課題】  導出状態で直線的なレール状に形成できる横引き網戸におけるネットガイドにおいて、ネットの端部を常に安定的にガイドできると共に、ネットガイドからネットが抜脱するのを可及的に抑止する。【解決手段】  ネットガイド１２は、ネット４の端部に沿う底部１４ａと該ネットの外側面に沿う立壁部１４ｂとにより略Ｕ字状に形成したガイド駒１４の多数を、その連接面１４ｄにおける立壁部の先端部を相互に回転可能に連接し、且つネットガイド１２が導出されたとき、隣接するガイド駒の連接面の全部または一部が相互に当接するものとして構成する。ネットガイド１２には、該ネットガイドに沿って移動可能に配設され、ネットの下端を保持して該ネットの下端がネットガイドから抜脱するのを抑止するためのネットの保持部材２１を付設する。【選択図】        図１
2005126924.tif 000002
【特許請求の範囲】
【請求項１】
交互に逆方向に折り返した伸展自在のネットを横引きにより開閉自在とした横引き網戸において、上記ネットの開閉に応じて、該ネットの開閉方向両端に取付けた枠材の少なくとも一方からその内部に出入りし、張設状態にある上記ネットの端部に沿って導出されてその端部をガイドするネットガイドであって、
上記ネットガイドは、上記ネットの端部に沿う底部と該ネットの外側面に沿う立壁部とにより略Ｕ字状に形成した合成樹脂製のガイド駒の多数を、該ガイド駒の連接面における立壁部の先端部を相互に回転可能に連接し、且つネットガイドが上記ネットの端部に沿って導出されたとき、隣接するガイド駒の連接面の全部または一部が相互に当接するものとして構成し、
上記ネットガイドに、それに沿って移動可能に配設され、上記ネットの下端を保持して該ネットの下端がネットガイドから抜脱するのを抑止するためのネットの保持部材を付設した、
ことを特徴とする横引き網戸におけるネットガイド。
【請求項２】
ガイド駒における立壁部の先端部に沿って、ワイヤー部材を挿通する通孔を設け、それぞれのガイド駒の通孔に一連のワイヤー部材を挿通することにより、各ガイド駒を回転可能に連接した、
ことを特徴とする請求項１に記載の横引き網戸におけるネットガイド。
【請求項３】
上記ネットガイドにおける両立壁部間に、ネットガイドが張設状態にあるネットの端部に沿って導出されたときに、隣接ガイド駒間において相互に連接される一連のガイドレールを形成し、上記ネットの保持部材を該ガイドレールに沿って移動可能に配設した、
ことを特徴とする請求項１または２に記載の横引き網戸におけるネットガイド。
【請求項４】
上記ネットガイドにおける立壁部のいずれか一方の先端部に、ネットガイドが張設状態にあるネットの端部に沿って導出されたときに、隣接ガイド駒間において相互に連接される一連のガイドレールを形成し、上記ネットの保持部材を該ガイドレールに沿って移動可能に配設した、
ことを特徴とする請求項１または２に記載の横引き網戸におけるネットガイド。
【請求項５】
上記ネットガイドにおける立壁部のいずれか一方の内壁に、ネットガイドが張設状態にあるネットの端部に沿って導出されたときに、隣接ガイド駒間において相互に連接される一連のガイドレールを形成し、上記ネットの保持部材を該ガイドレールに沿って移動可能に配設した、
ことを特徴とする請求項１または２に記載の横引き網戸におけるネットガイド。
【請求項６】
上記ネットガイドにおける立壁部の外面及び内面のそれぞれに、ネットガイドが張設状態にあるネットの端部に沿って導出されたときに、隣接ガイド駒間において相互に連接される一連の凹溝により形成されるガイドレールを形成し、上記ネットの保持部材に設けた係合部を両凹溝に係合させることにより、該保持部材をガイドレールに沿って移動自在に配設した、
ことを特徴とする請求項１または２に記載の横引き網戸におけるネットガイド。
【請求項７】
上記ネットの保持部材を、立壁部に対し、ネットの向きに応じて鉛直面内で転向自在に係合させた、
ことを特徴とする請求項６に記載の横引き網戸におけるネットガイド。
【請求項８】
ネットの開閉操作に供する可動の枠材を平行移動させるための平行移動機構を構成する張紐を、横引き網戸を構成する枠材間の少なくとも下部において上記ネットに挿通して張設し、
上記ネットガイドに付設した保持部材を、上記張紐に係止する係止部を有するものとして、該係止部に、上記枠材間の下部に張設した張紐を係止させることにより、上記ネットの下端を保持させた、
ことを特徴とする請求項１乃至６のいずれかに記載の横引き網戸におけるネットガイド。
【請求項９】
上記ネットガイドに付設した保持部材に、上記ネットの下端部を挟持することにより、該ネットの下端を保持させた、
ことを特徴とする請求項１乃至６のいずれかに記載の横引き網戸におけるネットガイド。
【請求項１０】
上記ネットガイドに付設した保持部材に、上記ネットの折曲部において該ネットを挟持することにより、該ネットの下端を保持させた、
ことを特徴とする請求項１乃至６のいずれかに記載の横引き網戸におけるネットガイド。
【発明の詳細な説明】
【技術分野】
【０００１】
本発明は、交互に逆方向に折り返した伸展自在のネットを横引きにより開閉自在とした横引き網戸におけるネットガイドに関するものであり、更に具体的には、上記ネットの開閉に応じて該ネットの両端に取り付けた枠材の少なくとも一方からその内部に出入りし、張設状態にある上記ネットの端部に沿って導出されてそれらの端部をガイドするネットガイドに関するものである。
【背景技術】
【０００２】
交互に逆方向に折り返した伸展自在のネットを横引きにより開閉自在とした網戸において、ネットの開閉に応じて、該ネットの両端に取り付けた枠材の下端からその内部に出入りし、張設状態にある該ネットの下端に沿って導出されてその下端をガイドし、該ネットの揺れを防止するネットガイドを備えたものとしては、例えば、特許文献１において開示されているスクリーン装置が知られている。
上記既提案のスクリーン装置におけるネットガイドは、ガイド駒の連接部分におけるシート材の湾曲の反力が可動框の操作力に対抗する緩衝のための作用力となり、可動框の開閉の操作性を損なうことなく、適切な抵抗による緩衝性を付与することにより騒音を抑制することができ、しかも、このようなバリヤフリーのネットガイドを簡易な構造で且つ安価に提供することができる点で極めて有効なものである。
【０００３】
ところが、上記ネットガイドでは、ネットに予想外の強い風等の外力が作用すると、ネットガイドにおける枠材から直線的に導出された部分では、上記ネットの下端に押されて上記ネットガイドが水平横方向に湾曲してしまう場合が考えられ、一方、ネットガイドが水平横方向に湾曲するのを防げたとしても、今度はネットがネットガイドから抜脱してしまうことも考えられる。
如上に鑑みて、構成が簡単で動作が安定的であり、しかも、導出状態では直線的なレール状に形成できる横引き網戸のネットガイドにおいて、単純な形態で、水平横方向への湾曲や逆方向への屈曲（設置面からの浮き上がり）を防止し、ネットの端部を常に安定的にガイドすることができると共に、ネットガイドからネットが抜脱するのを抑止することができるネットガイドが要望されている。
【０００４】
【特許文献１】特開２００３−１６１０８９号公報
【発明の開示】
【発明が解決しようとする課題】
【０００５】
本発明の技術的課題は、構成が簡単で動作が安定的であり、しかも、導出状態では直線的なレール状に形成できる横引き網戸におけるネットガイドにおいて、単純な形態で、水平横方向への湾曲や逆方向への屈曲（設置面からの浮き上がり）を防止し、ネットの端部を常に安定的にガイドすることができると共に、ネットガイドからネットが抜脱するのを可及的に抑止できるようにすることにある。
【課題を解決するための手段】
【０００６】
上記課題解決するための本発明は、交互に逆方向に折り返した伸展自在のネットを横引きにより開閉自在とした横引き網戸において、上記ネットの開閉に応じて、該ネットの開閉方向両端に取付けた枠材の少なくとも一方からその内部に出入りし、張設状態にある上記ネットの端部に沿って導出されてその端部をガイドするネットガイドであって、上記ネットガイドは、上記ネットの端部に沿う底部と該ネットの外側面に沿う立壁部とにより略Ｕ字状に形成した合成樹脂製のガイド駒の多数を、該ガイド駒の連接面における立壁部の先端部を相互に回転可能に連接し、且つネットガイドが上記ネットの端部に沿って導出されたとき、隣接するガイド駒の連接面の全部または一部が相互に当接するものとして構成し、上記ネットガイドに、それに沿って移動可能に配設され、上記ネットの下端を保持して該ネットの下端がネットガイドから抜脱するのを抑止するためのネットの保持部材を付設したことを特徴とするものである。
【０００７】
本発明の横引き網戸の好ましい実施形態においては、上記ネットガイドにおける両立壁部間に、あるいは立壁部のいずれか一方の先端部に、あるいは立壁部のいずれか一方の内壁に、ネットガイドが張設状態にあるネットの端部に沿って導出されたときに、隣接ガイド駒間において相互に連接される一連のガイドレールを形成し、上記ネットの保持部材を該ガイドレールに沿って移動可能に配設される。更に、上記ネットガイドにおける立壁部の外面及び内面のそれぞれに、隣接ガイド駒間において相互に連接される一連の凹溝により形成されるガイドレールを形成し、上記ネットの保持部材に設けた係合部を両凹溝に係合させることにより、該保持部材をガイドレールに沿って移動自在に配設することができ、その際、該保持部材を立壁部に対しネットの向きに応じて鉛直面内で転向自在とすることができる。
【０００８】
また、上記ネットの開閉操作に供する可動の枠材を平行移動させるための平行移動機構を構成する張紐を、横引き網戸を構成する枠材間の少なくとも下部において上記ネットに挿通して張設し、上記ネットガイドに付設した保持部材を、上記張紐に係止する係止部を有するものとして、該係止部に、上記枠材間の下部に張設した張紐を係止させることにより、上記ネットの下端を保持させることができる。
さらに、上記ネットガイドに付設した保持部材に、上記ネットの下端部を挟持することにより、該ネットの下端を保持させることができ、この場合、上記ネットの折曲部において該ネットを挟持することにより、該ネットの下端を保持させることができる。
【発明の効果】
【０００９】
上記構成を有する本発明の横引き網戸におけるネットガイドにおいては、上記ネットガイドを構成するガイド駒の連接面における立壁部の先端部を連接することにより、ネットガイドの上部（屈曲の内部）において該ネットガイドが屈曲するように構成しているので、ネットガイドを簡易な構成で安価に提供することができるだけでなく、そのメンテナンス性をも向上させることができ、しかも、ネットガイドの屈曲時に隣接ガイド駒の立壁部の一部等が相互に重なることがなく、ネットの開閉操作を安定的に行うことができる。そのうえ、上記ネットガイドがネットの端部に沿って導出されたとき、隣接するガイド駒の連接面が相互に当接するものとして構成しているので、水平横方向への湾曲や逆方向への屈曲（設置面からの浮き上がり）を防止し、上記ネットの端部を常に安定的にガイドすることができる。
そして、上記ネットガイドに、両立壁部間において該ネットガイドが張設状態にあるネットの端部に沿って導出されたときに、隣接ガイド駒間において相互に連接される一連のガイドレールを形成し、そのガイドレールに沿って上記ネットの保持部材を移動可能に配設しているので、ネットに予想外の強い風等の外力が作用しても、ネットが上記ネットガイドから抜脱するのを確実に抑止することができる。
【発明を実施するための最良の形態】
【００１０】
以下に、本発明に係る横引き網戸におけるネットガイドを実施するための最良の形態を説明するに、図１乃至図３は、本発明の第１実施例に係るネットガイドを用いる横引き網戸の全体的な構成を示している。
上記横引き網戸は、図１乃至図３に示すように、概略的には、網戸枠２と該網戸枠２内に横引きにより開閉自在に取り付けられた防虫ネット４と、該ネット４の一端に取り付けられた開閉操作用の可動框５とを備えている。上記網戸枠２は、左右の縦枠部材６，８と上部の横枠部材１０とを有し、該網戸枠２の下部において、上記ネット４の下端部をガイドするネットガイド１２を可動框５の移動に伴って出没するように設けている。
また、上記ネット４の一端に取り付けた可動框５を安定的に平行移動させるため、該可動框５には平行移動機構を付設している。この平行移動機構は、本実施例の網戸においては、網戸枠２及び可動框５の間に３本の張紐１９ａ〜１９ｃを張設することにより構成したものである。
【００１１】
上記ネットガイド１２は、その一端が可動框５の下端に固定され、可動框５の移動に伴う上記ネット４の伸縮に応じて、図において左側の縦枠部材６の内部に屈曲して出入りし、張設状態にある上記ネット４の下端に沿って導出されて、それらの端部を保持することにより、ネット４の下端が風等の外力により揺れたりるのを抑止するものである。
さらに具体的には、上記ネットガイド１２は、図４乃至図６に示すように、合成樹脂で形成した多数のガイド駒１４を、可撓性を有するワイヤー部材１６で連結することにより構成している。
【００１２】
上記ネットガイド１２を構成するガイド駒１４は、図４に明確に示すように、ネット４の下端に沿う底部１４ａと該ネット４の外面に沿って立ち上がる立壁部１４ｂとにより略Ｕ字状に形成したもので、該ガイド駒１４における立壁部１４ｂの先端部（開口側端部）に沿って、ワイヤー部材１６を挿通する通孔１４ｃを設け、それぞれのガイド駒１４の通孔１４ｃに上記ワイヤー部材１６を挿通することにより各ガイド駒１４を回転可能に連接しており、当該ネットガイド１２の両端のガイド駒１４の外側端において、ワイヤー部材１６の端部にそれぞれストッパー部材１８（図１参照）を付設することにより、各ガイド駒１４がワイヤー部材１６から抜脱しないようにしている。そして、これらのガイド駒１４は、該ガイド駒１４における底部１４ａ及び立壁部１４ｂの連設面１４ｄを相互に当接させることにより連接しており、したがって、上記ワイヤー部材１６の長さは、連接した多数のガイド駒１４の実長とほぼ同長でよいが、上記ネットガイド１２の屈曲や円滑な動作に必要な分だけ余裕を持たせて、すなわち連接した多数のガイド駒１４の実長よりも若干長く形成するのが望ましい。
【００１３】
なお、上記ワイヤー部材１６として、ネット４の開閉操作に供する可動框の平行移動機構を構成する張紐の一部を利用することもできる。
さらに、各ガイド駒１４の立壁部１４ｂには、当該ネットガイド１２が屈曲するに際し、隣接するガイド駒１４における立壁部１４ｂの先端部が当接する微少な切欠部１４ｅを設けることができ（図５に明示）、これにより、上記ワイヤー部材１６の余裕により隣接するガイド駒１４間に隙間を作らなくとも上記ネットガイド１２を屈曲させることができる。
【００１４】
上記ネットガイド１２には、図４乃至図６に明確に示すように、該ネットガイド１２を構成する各ガイド駒１４の両立壁部１４ｂ間における底部１４ａ上に、上記ネットガイド１２が張設状態にあるネット４の端部に沿って直線的に導出されたときに、隣接ガイド駒１４間において相互に連接される一連のガイドレール１２Ａを形成している。そして、このガイドレール１２Ａに沿って後述する上記ネット４の保持部材２１を移動可能に配設して、該保持部材２１にネット４の下端を直接的または間接的に保持させることにより、ネット４に比較的強い外力が作用した場合に、該ネット４の下端がネットガイド１２から抜脱するのを抑止するようにしている。
【００１５】
さらに詳細には、上記ガイドレール１２Ａは、各ガイド駒１４の底部１４ａ上に相対向する略鉤形に形成することにより中央にスリット１２ａを形成しており、一方、上記保持部材２１は、その基端部にガイドレール１２Ａのスリット１２ａ内に係合する係合部２１ａを有する脚２１ｂを備え、上記ガイドレール１２Ａのスリット１２ａに、保持部材２１における脚２１ｂの係合部２１ａを係合させることにより、ネットガイド１２を構成する各ガイド駒１４における両立壁部１４ｂ間を上記ガイドレール１２Ａに沿って移動可能に構成している。また、保持部材２１は、上記可動框５の平行移動機構において、上記ネット４の下部に挿通した張紐１９ｃを係止する長穴からなる係止部２１ｃを有し、該係止部２１ｃの一側にスリット２１ｄを形成することにより、該係止部２１ｃ内に上記張紐１９ｃを係止できるようにしている。
【００１６】
上記ネットガイド１２は、前述したように、ネット４の開閉に伴って網戸枠２を構成する縦枠部材６の下端から湾曲させてその内部に出入りさせ、その導出によってネット４の下端をガイドさせるものである。そのネットガイド１２に用いるワイヤー部材１６は、その屈曲が極めて容易な材質のものとすることもできるが、可動框５の操作力に対抗する緩衝のための作用力を与える程度の反力を示すものとすることもできる。かかる観点から、上記ネットガイド１２におけるワイヤー部材１６は、その材質の選定あるいは太さの調整等により、適度の弾性あるいは可撓性を有するものとする必要がある。
【００１７】
一方、上記ネット４は、交互に逆方向に折り返して多数のプリーツをジグザグ状に施すことにより、アコーディオン式に伸縮自在としたもので、その両端に網戸枠２の縦枠部材６及びネット４の開閉操作に供する可動框５を取り付け、該可動框５の操作により開閉するようにしている。
【００１８】
而して、上記ネット４の一端に取り付けた開閉操作用の可動框５の操作によるネット４の開閉操作時においては、上記ネットガイド１２はガイド駒１４における立壁部１４ｂの先端部で屈曲するため、ネットガイド１２の屈曲時に隣接するガイド駒１４の立壁部１４ｂが重なり合う部分がなく、すなわちガイド駒１４の立壁部１４ｂに隣接するガイド駒１４の立壁部１４ｂが収容される逃げ部を設ける必要がなく、したがってネットガイド１２の円滑な湾曲動作、すなわちネット４の円滑な開閉操作が可能になる。
【００１９】
前述したように、上記ネットの一端に取り付けた可動框５を安定的に平行移動させるため、上記網戸枠２及び可動框５の間には、３本の張紐１９ａ〜１９ｃからなる平行移動機構を付設している。
上記第１の張紐１９ａは、上記可動框５の上端にその一端を取り付け、それをネット４を貫通させて上記ネット４を固定した縦枠部材６内に導き、そして転向子２０ａにより該張紐１９ａを縦枠部材６内を通して下端に導いたうえで、該縦枠部材６の下部に設けた転向子２０ｂに巻き掛けて該縦枠部材６内を上方に導き、その先端を上記ネットガイド１２における縦枠部材６内に導出入する先端のガイド駒１４に連結している。
【００２０】
一方、第２、第３の張紐１９ｂ，１９ｃは、それぞれ上記可動框５の中央及び下端にその一端を取り付け、それらの張紐１９ｂ，１９ｃをネット４を貫通させて上記ネット４を取り付けた縦枠部材６内に導いたうえでそれぞれ転向子２０ｃ，２０ｄにより転向させ、該縦枠部材６内を通して上部の横枠部材１０内に導き、さらにそれらの張紐１９ｂ，１９ｃを転向子２０ｅにより横枠部材１０内を通してネット４を取り付けていない縦枠部材８の上端に導き、そしてそれらを該縦枠部材８の上部に設けた転向子２０ｆに巻き掛けて上記横枠部材１０内を逆方向に導いたうえで上記可動框５内に導入し、それらの先端を該可動框５に連結している。
【００２１】
上述した張紐１９ａ〜１９ｃがネット４の張設部分において水平方向に張設されている部分においては、それらの張紐１９ａ〜１９ｃをネット４内に挿通することによってネット４の弛みを防止し、ネット４の張設状態を安定化させることができる。特に、ネット４の下端を挿通する張紐１９ｃは、上述した保持部材２１によって係止されているため、該ネットが張紐１９ｃを介して間接的に保持部材２１に保持され、ネット４に風等の比較的強い外力が作用しても、該ネット４がネットガイド１２から抜脱するのを確実に抑止することができる。
なお、上記各転向子２０ａ〜２０ｆとしては、張紐１９ａ〜１９ｃとの抵抗が小さい合成樹脂製の摺動部材、あるいはプーリーなどを用いることができる。
【００２２】
ここでは、図１乃至図３において、ネットガイド１２の一端を可動框５に固定し、他端を縦枠部材６に屈曲して出入りさせるようにした網戸において、上記ネットガイド１２によりネット４を保持させるようにした場合について説明したが、ネットガイド１２の一端を縦枠部材６に固定し、他端を可動框５に屈曲して出入りさせるようにした網戸を用いることもできる。
また、ネット４に挿通する張紐として、可動框５の平行移動機構を構成する３本の張紐１９ａ〜１９ｃを用いた場合について説明したが、複数の張紐が平行移動機構を構成するものであれば図示の形態に限定されるものではない。更に、ネットの保持部材２１が保持する張紐１９ｃは、平行移動機構を構成する張紐に限るものではない。
【００２３】
上記構成を有する本発明の横引き網戸におけるネットガイド１２は、該ネットガイド１２を構成するガイド駒１４の連接面１４ｄにおける立壁部１４ｂの先端部を連接することにより、ネットガイド１２の上部（屈曲の内部）において該ネットガイド１２が屈曲するように構成しているので、ネットガイド１２を簡易な構成で安価に提供することができるだけでなく、そのメンテナンス性をも向上させることができ、しかも、ネットガイド１２の屈曲時に隣接ガイド駒１４の一部が相互に重なることがなく、上記ネット４の開閉操作を安定的に行うことができる。そのうえ、上記ネットガイド１２がネット４の端部に沿って導出されたとき、隣接するガイド駒１４の連接面１４ｄが相互に当接するものとして構成しているので、水平横方向への湾曲や逆方向への屈曲（設置面からの浮き上がり）を防止し、上記ネット４の端部を常に安定的にガイドすることができる。
そして、上記ネットガイド１２に、両立壁部１４ｂ間において該ネットガイド１２が張設状態にあるネット４の端部に沿って導出されたときに、隣接ガイド駒１４間において相互に連接される一連のガイドレール１２Ａを形成し、そのガイドレール１２Ａに沿って上記ネット４の保持部材２１を移動可能に配設しているので、ネット４に予想外の強い風等の外力が作用しても、該ネット４が上記ネットガイド１２から抜脱するのを確実に抑止することができる。
【００２４】
なお、上述した第１実施例におけるネットガイド１２に形成したガイドレール１２Ａ及び保持部材２１に関連する構成は、前記第１実施例のものに限定されず、以下に説明する第２〜第９実施例のように構成することもできる。
すなわち、図７及び図８に示す第２実施例においては、各ガイド駒１４における両立壁部１４ｂ間の底部１４ａ上に、相互に背向する鍔部により形成されるガイドレール１２Ｂを設け、一方、上記保持部材２１には、その基端部を両側に延設して相対向する鉤形に折曲した係合部２１ａを形成しており、上記ガイドレール１２Ｂの鍔部を保持部材２１の係合部２１ａで抱持するように係合させることにより、ネットガイド１２を構成する各ガイド駒１４における両立壁部１４ｂ間を上記ガイドレール１２Ｂに沿って移動可能に構成している。
【００２５】
次に、図９及び図１０に示す第３実施例は、ネットガイド１２を構成する各ガイド駒１４における立壁部１４ｂの先端部をガイドレール１２Ｃとして、該部に沿って保持部材２１が移動できるように構成している。
すなわち、上記立壁部１４ｂの先端部には、ワイヤー部材１６を挿通する通孔１４ｃを設けているが、該通孔１４ｃの周囲の若干幅広になった部分をガイドレール１２Ｃとしており、一方、上記保持部材２１は、図９に明確に示すように、その基端部の一側（図においては左側）を水平横方向に延設して、上記ガイド駒１４における立壁部１４ｂの先端部のガイドレール１２Ｃの周囲を抱持するように係合する略矩形状の係合部２１ａを形成しており、上記立壁部１４ｂの先端のガイドレール１２Ｃに保持部材２１ａを係合させることにより、上記保持部材２１をガイドレール１２Ｃに沿って移動可能に構成している。
【００２６】
次に、図１１及び図１２に示す第４実施例は、ネットガイド１２を構成する各ガイド駒１４における立壁部１４ｂの内壁にガイドレール１２Ｄを形成して、該ガイドレール１２Ｄに沿って保持部材２１が移動できるように構成している。
すなわち、上記立壁部１４ｂの内壁には、先端部から内側に水平に延設して下方に略鉤形に折曲することにより垂下壁を形成すると共に、ガイド駒１４の底部１４ａ上の該垂下壁に対向する部位から上方に立ち上がる突条を形成することによりガイドレール１２Ｄを形成し、一方、上記保持部材２１は、その中央部の一側から上記ガイド駒１４の立壁部１４ｂの上部に位置する係手２１ｅを延設すると共に、その基端部の一側から該係手２１ｅに平行して係手２１ｆを延設し、該係手２１ｆの先端に上記ネットガイド１２におけるガイドレール１２Ｄを構成する上記垂下壁と突条との間に係合する係合突起２１ｇを形成しており、上記ガイドレール１２Ｄの垂下壁及び突条に該係合突起２１ｇを抱持するように係合させることにより、上記保持部材２１をガイドレール１２Ｄに沿って移動可能に構成している。
なお、上述した第２〜第４実施例においては、上記ネット４の下部に挿通した張紐１９ｃを係止するための構造を前記第１実施例と同様の構造としているため、それに関連する構造については、前記第１実施例と同一符号を付するものとして、その説明を省略する。
【００２７】
図１３及び図１４に示す第５実施例は、ネットガイド１２に対して保持部材２１を移動可能とする構造は前記第１実施例と同様であるが、図１４からわかるように、ネット４の下端における折曲部間の平面部分を面ファスナー等の挟持手段で挟持することにより該部を保持する態様としている。
すなわち、上記保持部材２１は、挟持手段を構成する一方の半体２２ａを付設し（図１５（ａ）参照）、該挟持手段を構成する他方の半体２２ｂ（図１５（ｂ）参照）を保持部材２１から着脱できるように構成しており、上記ネット４の折曲部間における平面部分において、該ネット４の網目を通して上記保持部材２１における半体２２ａと他方の半体２２ｂとを接合してネット４を挟持することにより、該ネット４の下端を保持するようにしている。上記半体２２ａ，２２ｂにおける接合面は、互いに係合する多数のきのこ状突子２２ｃを突設したものである。
そして、上記保持部材２１の基端部にネットガイド１２のガイドレール１２Ａのスリット１２ａに係合する脚２１ｂを形成することにより、上記ガイドレール１２Ａに沿って移動可能に構成している。
【００２８】
図１６乃至図１８に示す第６実施例は、上記第５実施例と同様に、保持部材２１に挟持手段を構成する一方の半体２２ａを付設し（図１７（ａ）及び（ｂ）参照）、該挟持手段を構成する他方の半体２２ｂを、図１５（ｂ）に示したもの同構造を有するものとして、保持部材２１から着脱できるように構成しているので、この点についての詳細な説明は省略するが、この第６実施例では、ネットガイド１２のガイドレール１２Ｅ及びそれに対して保持部材２１を移動可能とする構造が相違している。
【００２９】
すなわち、この第６実施例の場合には、ネットガイド１２を構成するガイド駒１４としては、図１７（ａ）（ｂ）及び図１８に示すように、立壁部１４ｂを折曲してその下部外面に外側に開く凹溝１４ｆを、また、上部内面に内側に開く凹溝１４ｇを設けたものを用い、これにより、ネットガイドが張設状態にあるネットの端部に沿って導出されたときに、隣接ガイド駒間において相互に連接される一連の凹溝を有するガイドレール１２Ｅを形成している。一方、上記保持部材２１における側端には、上記立壁部１４ｂの外面に垂下する立柱部２３ａを付設してその下端に上記凹溝１４ｆに係合する円盤状係合部２３ｂを設けると共に、該保持部材２１の下部に上記凹溝１４ｇに係合する円盤状係合部２３ｃを設けている。そのため、この保持部材２１を、係合部２３ｂ，２３ｃを両凹溝１４ｆ，１４ｇに係合させることにより立壁部１４ｂに装着したときには、該保持部材２１がガイドレール１２Ｅに沿って移動自在であると同時に、図１６に示すように、上記挟持手段で保持したネットの向きに応じて保持部材２１を立柱部２３ａの周りで、すなわち立壁部に対し鉛直面内で転向自在とすることができる。
【００３０】
図１９に示す第７実施例では、ネットガイド１２を構成するガイド駒１４として図１８で説明した第６実施例の場合と同様なものを用い、保持部材２１における該ガイド駒１４の立壁部１４ｂへの係合構造も第６実施例と同様であるが、該保持部材２１によるネット４の保持を、第１実施例の場合と実質的に同様な構造とし、すなわち、該ネット４に挿通した張紐１９ｃを係止する長穴状の係止部２１ｃを設け、該係止部２１ｃの一側にスリット２１ｄを形成することにより、該係止部２１ｃ内に上記張紐１９ｃを係止できるようにしている。
【００３１】
また、前記第５実施例のようにネット４の折曲部間の平面部分を挟持する場合には、同実施例の構成に限定されず、例えば、図２０に示す第８実施例のように、挟持手段を、保持部材２１側設けた突起２２ｄと、該保持部材２１に可撓性の薄肉部２２ｆで開閉自在に連結した半体２２ｂに穿設した孔２２ｅからなるものとして、上記突起２２ｄをネット４の網目を通して半体２２ｂの孔２２ｅに嵌入して該ネット４を挟持することにより、該ネット４の下端を保持する構成とすることができる。
なお、上述した第５及び第８実施例においては、上記ネットガイド１２におけるガイドレール１２Ａに対して保持部材２１を移動可能とする構造を前記第１実施例と同様のものとしているため、それに関連する構造については、前記第１実施例と同一符号を付するものとして、その説明を省略する。
【００３２】
さらに、図２１及び図２２に示す第９実施例においては、上記ネット４を、該ネット４の下端の折曲部において、保持部材２１に設けた後述する挟持手段で挟持することにより該部を保持する態様としている。なお、この第９実施例においては、上記ガイドレールに対して保持部材２１を移動可能とする構造は前記第２実施例と同様であるから、特に必要がなければ、それに関連する構造については前記第２実施例と同一符号を付するものとして、その説明を省略する。
【００３３】
上記保持部材２１は、図２３及び図２４の各（ａ）（ｂ）に明確に示すように、薄い平板状に形成され、その一端に挟持手段を構成する円柱状の嵌着突条２４ａを有する本体２４と、円筒形の一部を切除して略Ｃ字状に形成した上記挟着手段を構成する嵌着部２５ａを有する固定部材２５とを備えており、上記本体２４における嵌着突条２４ａを上記ネット４の折曲部に沿って当接させた状態で、上記固定部材２５の嵌着部２５ａを上記ネット４と共に上記嵌着突条２４ａに嵌着させることにより、該ネット４の下端を挟持し、該部を保持するように構成している。
【００３４】
また、上記保持部材２１における本体２４の嵌着突条２４ａを設けた側とは反対側の端部に、その基端部を幅方向に延設して下方に鉤形に折曲した係合部２４ｂを形成すると共に、上記固定部材２５の基端部を下方に延設して上記嵌着部２５ａ側に鉤形に折曲した係合部２５ｂを形成することにより、嵌着突条２４ａと嵌着部２５ａを嵌着させたときに、上記係合部２４ｂ，２５ｂが相互に相対向するように構成しており、上記ガイドレール１２Ｂの鍔部を該係合部２４ｂ，２５ｂで抱持するように係合させることにより、ネットガイド１２を構成する各ガイド駒１４における両立壁部１４ｂ間を上記ガイドレール１２Ａに沿って移動可能に構成している。
【００３５】
なお、上記第２〜９実施例の説明においては、説明の重複を避けるために第１実施例と共通する部分を省略している。また、上記各実施例においては、ガイド駒１４の下面の両側に鈎状部を設けているが、これは、床面上に必要に応じて設置されるガイド板３０の両側縁の凹部３０ａに係合して、ネットガイドの床面からの浮き上がりを防止するためのものである。
以上においては、本発明において用い得る各種ネットガイド、各種ガイド駒及び保持部材について説明したが、本発明はそれらの実施例に示したものに限定されるべきものではなく、特許請求の範囲の精神を逸脱しない範囲内において適宜設計を変更することができる。特に、上記ガイド駒及び保持部材は、図示した各実施例の形態においてのみ用い得るものではなく、上記実施例におけるガイド駒及び保持部材等を可能な範囲で組み替えて使用することができる。
【図面の簡単な説明】
【００３６】
【図１】本発明に係るネットガイドを用いた横引き網戸の正面図である。
【図２】同平断面図である。
【図３】同側断面図である。
【図４】第１実施例の要部を示す部分拡大側面図である。
【図５】同部分拡大正断面図である。
【図６】同部分拡大平断面図である。
【図７】第２実施例の要部を示す部分拡大側面図である。
【図８】同部分拡大正断面図である。
【図９】第３実施例の要部を示す部分拡大側面図である。
【図１０】同部分拡大正断面図である。
【図１１】第４実施例の要部を示す部分拡大側面図である。
【図１２】同部分拡大正断面図である。
【図１３】第５実施例の要部を示す部分拡大側面図である。
【図１４】同部分拡大平断面図である。
【図１５（ａ）】第５実施例の保持部材における本体の正面図である。
【図１５（ｂ）】同挟持手段の正面図である。
【図１６】第６実施例の保持部材の使用状態を示す平面図である。
【図１７（ａ）】第６実施例の保持部材における固定部材の正面図である。
【図１７（ｂ）】同平面図である。
【図１８】第６実施例の保持部材の使用状態の斜視図である。
【図１９】第７実施例の保持部材の使用状態の斜視図である。
【図２０】第８実施例における保持部材の正面図である。
【図２１】第９実施例の要部を示す拡大側断面図である。
【図２２】同部分拡大平断面図である。
【図２３（ａ）】第９実施例の保持部材における本体の平面図である。
【図２３（ｂ）】同正面図である。
【図２４（ａ）】第９実施例の保持部材における固定部材の平面図である。
【図２４（ｂ）】同正面図である。
【符号の説明】
【００３７】
４    ネット
５    可動框
６，８    縦枠部材
１２    ネットガイド
１２Ａ〜１２Ｅ  ガイドレール
１４    ガイド駒
１４ａ  底部
１４ｂ  立壁部
１４ｃ  通孔
１６    ワイヤー部材
１９ａ〜１９ｃ  張紐
２１    保持部材
【図１】
2005126924.tif 000003
【図２】
2005126924.tif 000004
【図３】
2005126924.tif 000005
【図４】
2005126924.tif 000006
【図５】
2005126924.tif 000007
【図６】
2005126924.tif 000008
【図７】
2005126924.tif 000009
【図８】
2005126924.tif 000010
【図９】
2005126924.tif 000011
【図１０】
2005126924.tif 000012
【図１１】
2005126924.tif 000013
【図１２】
2005126924.tif 000014
【図１３】
2005126924.tif 000015
【図１４】
2005126924.tif 000016
【図１５（ａ）】
2005126924.tif 000017
【図１５（ｂ）】
2005126924.tif 000018
【図１６】
2005126924.tif 000019
【図１７（ａ）】
2005126924.tif 000020
【図１７（ｂ）】
2005126924.tif 000021
【図１８】
2005126924.tif 000022
【図１９】
2005126924.tif 000023
【図２０】
2005126924.tif 000024
【図２１】
2005126924.tif 000025
【図２２】
2005126924.tif 000026
【図２３（ａ）】
2005126924.tif 000027
【図２３（ｂ）】
2005126924.tif 000028
【図２４（ａ）】
2005126924.tif 000029
【図２４（ｂ）】
2005126924.tif 000030